【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
複数の撮影画像を結合して結合画像を生成するための処理を行う画像処理装置であって、
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定するグループ指定手段と、
前記グループ指定手段によって指定されたグループ内の各撮像手段の撮影画像を所定の切り換えタイミングで切り換え結合して前記結合画像を生成するためにその結合する順番を決定する決定手段と、
を備えたことを特徴とする画像処理装置。
【請求項２】
前記複数の撮像手段によって撮影された各撮影画像とその各撮像手段の撮影位置又は撮影方向を取得する取得手段を更に備え、
前記グループ指定手段は、前記取得手段によって取得された複数の撮像手段の撮影位置又は撮影方向を参照し、前記ユーザ指定された撮像手段の撮影位置又は撮影方向に対して所定の位置関係又は撮影方向の関係にある１又は２以上の他の撮像手段を前記ユーザ指定の撮像手段と共にグループ指定する、
ことを特徴とする請求項１に記載の画像処理装置。
【請求項３】
前記グループ指定手段は、少なくとも２台の撮像手段がユーザ指定された場合に、そのユーザ指定の撮像手段の撮影位置に基づいて、その間又は近くに配置されている１又は２以上の撮像手段を前記他の撮像手段として、前記ユーザ指定の撮像手段と共にグループ指定する、
ことを特徴とする請求項２に記載の画像処理装置。
【請求項４】
前記グループ指定手段は、予めユーザ指定された一部の撮像手段の配置状態を基準として１又は２以上の他の撮像手段を前記ユーザ指定の撮像手段と共にグループ指定する場合に、グループ候補が複数存在しているときには、このグループ候補毎にその各撮像手段の配列状態を比較し、その比較結果に基づいて前記被写体に対する視点が滑らかに切り換わるグループを指定する、
ことを特徴とする請求項１〜請求項３のいずれか１項に記載の画像処理装置。
【請求項５】
前記グループ指定手段は、前記グループ候補毎にその各撮像手段の配列状態を比較する場合は、少なくとも各撮像手段の配置間隔、その数のいずれかを比較する、
ことを特徴とする請求項４に記載の画像処理装置。
【請求項６】
前記グループ指定手段は、前記複数の撮像手段の撮影画像内の被写体が所定の状態であり、かつ、前記複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定する、
ことを特徴とする請求項１に記載の画像処理装置。
【請求項７】
前記被写体の所定の状態は、被写体のサイズであり、
前記グループ指定手段は、前記被写体のサイズがより大きく、かつ、その被写体に対する視点が滑らかに切り換わるようにグループ指定する、
ことを特徴とする請求項６に記載の画像処理装置。
【請求項８】
前記被写体の所定の状態は、人物の顔であり、
前記グループ指定手段は、前記被写体である人物の顔がより大きく、かつ、その被写体に対する視点が滑らかに切り換わるようにグループ指定する、
ことを特徴とする請求項６に記載の画像処理装置。
【請求項９】
前記被写体の所定の状態は、人物の人数であり、
前記グループ指定手段は、前記被写体である人数がより多く、かつ、その被写体に対する視点が滑らかに切り換わるようにグループ指定する、
ことを特徴とする請求項６に記載の画像処理装置。
【請求項１０】
前記複数の撮像手段のうち、その一部の撮像手段をユーザ操作により任意に指定する撮像指定手段を更に備える、
ことを特徴とする請求項１〜請求項９のいずれか１項に記載の画像処理装置。
【請求項１１】
前記決定手段は、前記各撮影画像を切り換え結合する順番を決定する場合に、該各撮像手段の撮影位置又は撮影方向の並び順にしたがってその順番を決定する、
ことを特徴とする請求項１〜請求項１０のいずれか１項に記載の画像処理装置。
【請求項１２】
前記ユーザ指定の撮像手段に対応して前記切り換えタイミングを任意にユーザ指定するタイミング指定手段を更に備える、
ことを特徴とする請求項１〜請求項１１のいずれか１項に記載の画像処理装置。
【請求項１３】
前記グループ指定手段によって指定されたグループ内の各撮像手段の撮影画像を前記決定手段によって決定された順番にしたがって順次結合することにより前記結合画像を生成する生成手段を更に備える、
ことを特徴とする請求項１〜請求項１２のいずれか１項に記載の画像処理装置。
【請求項１４】
前記生成手段は、前記グループ指定手段によってグループ指定された１又は２以上の他の撮像手段の数に基づいて、前記切り換えタイミングの中間値を求め、この中間値の切り換えタイミング毎にグループ内の各撮像手段の撮影画像を順次結合する、
ことを特徴とする請求項１３に記載の画像処理装置。
【請求項１５】
前記生成手段は、前記グループ指定手段によってグループ指定された各撮像手段の撮影動画像を受信取得してその記録又は配信する動作を順次切り換えながら順次結合して結合動画像を生成する、
ことを特徴とする請求項１３に記載の画像処理装置。
【請求項１６】
前記複数の撮像手段によって撮影された各撮影画像は、それぞれ静止画像であり、
前記生成手段は、前記静止画像の中から所定の切り換えタイミングで切り換え取得した静止画像を順次結合すると共にその中間フレームを補間することによって動画像を生成する、
ことを特徴とする請求項１３に記載の画像処理装置。
【請求項１７】
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定するステップと、
前記指定されたグループ内の各撮像手段の撮影画像を所定の切り換えタイミングで切り換え結合して前記結合画像を生成するためにその結合する順番を決定するステップと、
を含むことを特徴とする画像処理方法。
【請求項１８】
コンピュータに対して、
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定する機能と、
前記指定されたグループ内の各撮像手段の撮影画像を所定の切り換えタイミングで切り換え結合して前記結合画像を生成するためにその結合する順番を決定する機能と、
を実現させるためのプログラム。
【手続補正２】
【補正対象書類名】明細書
【補正対象項目名】０００６
【補正方法】変更
【補正の内容】
【０００６】
上述した課題を解決するために本発明の画像処理装置は、
複数の撮影画像を結合して結合画像を生成するための処理を行う画像処理装置であって、
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定するグループ指定手段と、
前記グループ指定手段によって指定されたグループ内の各撮像手段の撮影画像を所定の切り換えタイミングで切り換え結合して前記結合画像を生成するためにその結合する順番を決定する決定手段と、
を備えたことを特徴とする。
【手続補正３】
【補正対象書類名】明細書
【補正対象項目名】０００７
【補正方法】変更
【補正の内容】
【０００７】
上述した課題を解決するために本発明の画像処理方法は、
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定するステップと、
前記指定されたグループ内の各撮像手段の撮影画像を所定の切り換えタイミングで切り換え結合して前記結合画像を生成するためにその結合する順番を決定するステップと、
を含むことを特徴とする。
【手続補正４】
【補正対象書類名】明細書
【補正対象項目名】０００８
【補正方法】変更
【補正の内容】
【０００８】
上述した課題を解決するために本発明のプログラムは、
コンピュータに対して、
被写体に対して視点が異なる複数の撮像手段のうち、予めユーザ指定された一部の撮像手段の配置状態を基準として前記被写体に対する視点が滑らかに切り換わるように、１又は２以上の他の撮像手段を前記ユーザ指定の撮像手段と共にグループ指定する機能と、
前記指定されたグループ内の各撮像手段の撮影画像を所定の切り換えタイミングで切り換え結合して前記結合画像を生成するためにその結合する順番を決定する機能と、
を実現させる。